(57)【要約】【課題】静電ミストの空調空間への放出量の増大と安定を図ることができる空気調和機の室内機を提供する。【解決手段】室内機本体４に配設された吸込口５と吹出口６とを連通する通風路９に、熱交換器１０と、室内送風機を構成する横流ファン１１を具備する。吸込口５側の通風路９ａに連通する部分の空間に配設されて水を放電部に供給する水供給部、放電部に電圧を印加して放電させる高電圧印加装置および放電による静電霧化現象により静電ミストを生成する放電部を有する静電霧化ユニット１３を具備している。静電霧化ユニット１３で生成した静電ミストを放出するミスト放出口１３ａを、吹出口側通風路９ｂの上面に形成した。【選択図】  図１
2012042072.tif 000002
【特許請求の範囲】
【請求項１】
室内機本体に配設された吸込口と吹出口とを連通する通風路に、熱交換器と、室内送風機を構成する横流ファンを配設した空気調和機の室内機において、
前記吸込口側通風路に連通する部分の空間に配設されて水を放電部に供給する水供給部、放電部に電圧を印加して放電させる高電圧印加手段および放電による水の静電霧化現象により静電ミストを生成する放電部を有する静電霧化ユニットを具備し、この静電霧化ユニットで生成した静電ミストを放出するミスト放出口を、前記吹出口側通風路の上面に形成したことを特徴とする空気調和機の室内機。
【請求項２】
前記静電霧化ユニットとミスト放出口とを接続する静電ミストの放出管を有し、この静電ミスト放出管は、静電霧化ユニット側を硬質樹脂により形成し、ミスト放出口側を軟質樹脂により形成したことを特徴とする請求項１記載の空気調和機の室内機。
【請求項３】
前記静電霧化ユニットとミスト放出口とを接続する静電ミストの放出管を有し、この静電ミスト放出管は、その一部または全部を、導電性樹脂により形成してアースし、または帯電防止樹脂により形成していることを特徴とする請求項１記載の空気調和機の室内機。
【請求項４】
前記静電霧化ユニットとミスト放出口とを接続する静電ミストの放出管を有し、この静電ミスト放出管は、その内面上面から両側面にかけてアースするアース部材を設けたことを特徴とする請求項１記載の空気調和機の室内機。
【発明の詳細な説明】
【技術分野】
【０００１】
本発明の実施形態は空気調和機の室内機に関する。
【背景技術】
【０００２】
従来から空気調和機の室内機には、静電霧化ユニットを具備したものが知られている（例えば、特許文献１参照）。これは、室内ファンにより、室内空気を吸い込む吸込口と、この吸い込んだ室内空気を熱交換器により熱交換して調温空気として再び室内（空調空間）へ吹き出す吹出口と、を接続する主流路に、吸込み空気をバイパスさせるバイパス流路を並設し、このバイパス流路に静電霧化ユニットを配設している。
【０００３】
そして、この静電霧化ユニットで生成された静電ミストを放出するミスト放出口を、吹出口側の主流路の側面に設けている。
【０００４】
このために、ミスト放出口近傍の主流路側の圧力は、室内ファンの送風により、ミスト放出口側の圧力よりも負圧となるので、ミスト放出口側のミストは主流路側の負圧により主流路側へ吸引される。これにより、静電ミストは、主流路の吹出口から室内へ吹き出される調温空気と共に、その調温空気の流れに乗って室内へ吹き出され、室内の臭気成分や有機物を分解し、脱臭等の効果を奏することができる。
【先行技術文献】
【特許文献】
【０００５】
【特許文献１】特開２００９−２０４２２９号公報
【発明の概要】
【発明が解決しようとする課題】
【０００６】
しかしながら、この特許文献１記載のものでは、静電ミストの室内への放出量が少なく、安定しないという課題がある。すなわち、室内ファンとして横流ファンを用いているので、吹出口側の主流路側面の風速は必ずしも高速ではなく、また、定常流れではない。このために、この吹出口側の主流路の側面に開口したミスト放出口に対する主流路側の負圧が必ずしも大きくなく、不安定であるので、ミスト放出口から主流路側へ吸引される静電ミストの吸引量が少なく、不安定となる。これにより、静電ミストの室内への放出量が少なく、不安定になる。
【０００７】
本発明は、このような事情を考慮してなされたもので、その目的は、静電ミストの室内（空調空間）への放出量の増大と安定を図ることができる空気調和機の室内機の室内機を提供することにある。
【課題を解決するための手段】
【０００８】
本実施形態によれば、室内機本体に配設された吸込口と吹出口とを連通する通風路に、熱交換器と、室内送風機を構成する横流ファンを配設している。
【０００９】
また、本実施形態によれば、吸込口側通風路に連通する部分の空間に配設されて水を放電部に供給する水供給部、放電部に電圧を印加して放電させる高電圧印加手段および放電による水の静電霧化現象により静電ミストを生成する放電部を有する静電霧化ユニットを具備している。
【００１０】
さらに、本実施形態によれば、静電霧化ユニットで生成した静電ミストを放出するミスト放出口を、吹出口側通風路の上面に形成している。
【図面の簡単な説明】
【００１１】
【図１】本実施形態に係る空気調和機の室内機の縦断面図。
【図２】図１で示す室内機の全体外観斜視図。
【図３】図１の要部拡大図。
【図４】図１で示す静電霧化ユニットを備えた静電霧化装置の斜視図。
【図５】図４で示す静電霧化ユニットの分解斜視図。
【図６】（ａ）は図４で示す静電霧化ユニットの概略正面図、（ｂ）は同，概略側面図。
【図７】前面パネルを取り外した状態の室内機の前面側を抑視したときの斜視図。
【図８】図７で示すフィルタユニット取付枠を背面側から見たときの斜視図。
【発明を実施するための形態】
【００１２】
以下、本発明の実施形態を図面に基づいて説明する。なお、複数の図面中、同一または相当部分には、同一符号を付している。
【００１３】
図１は本実施形態に係る空気調和機の室内機の縦断面図、図２は同，室内機の全体外観斜視図、図３は図１の要部拡大図である。
【００１４】
これら図１〜図３に示すように室内機１は、室内壁面等取付面に固定される後板本体２と前面パネル３とにより室内機本体４の筐体を構成している。前面パネル３は、室内機本体４の前面、上面および左右両側面の筐体部を構成し、後板本体２は内部に収納される部品を配置固定する取付け部を備えると共に室内機本体４の背面部を構成している。
【００１５】
前記前面パネル３の上面および前面は、上部吸込口５ａおよび前面吸込口５ｂを形成する開口部が設けられる。前記前面パネル３前面の開口部には、全幅に亘って、その開口部前面の上下方向中央部分を遮蔽し、上部と下部に通風路を構成するよう化粧パネル３ａが取り付けられる。したがって、この化粧パネル３ａの上方と下方が前面吸込口５ｂを形成する。なお、この化粧パネル３ａは、室内機本体４内に配置されたフィルタの清掃などのメンテナンスを行うため、開閉が可能に構成する。
【００１６】
前記前面パネル３の下部には、吹出口６が形成される。この吹出口６には、上下方向の風向を変更させる水平ルーバと水平ルーバ表面に配置された左右ルーバが一体化した風向ルーバ６ａを配設している。
【００１７】
前記化粧パネル３ａ下方の前面吸込口５ｂと吹出口６の前面側には、前記前面パネル３の全幅に亘り、可動パネル３ｂが配置されている。
【００１８】
この可動パネル３ｂは、上部の左右に支持軸を備え、下端辺が前方へ回動して開閉する構成となっている。なお、この可動パネル３ｂの開閉動作は、室内機本体４内に配置した図示しないモータなどの駆動源により行われる。
【００１９】
この可動パネル３ｂを閉じた状態では、前面が上部の化粧パネル３ａと連続した湾曲面を構成すると共に、化粧パネル３ａ下方の前面吸込口５ｂを閉じ、さらに、吹出口６の前方を遮蔽して、吹出口の開口が前方から見えにくくし、意匠性を向上させるようにしている。
【００２０】
また、この可動パネル３ｂを回動して開いた状態では、下端辺が前方へ突出して、ほぼ水平状態となり、可動パネル３ｂの上面側が、前面吸込口５ｂを開放する状態となり、可動パネル３ｂの下面側が、吹出口の前方を開放する状態となるため、可動パネル３ｂにより、吸込通風路と、吹出通風路が上下で仕切られ、吹出空気が吸込口側に流れるショートサーキット現象を防止できる。
【００２１】
また、上部，前面吸込口５ａ，５ｂの内側には、エアフィルタ７を配設している。エアフィルタ７の下端部近傍には、このエアフィルタ７を清掃するエアフィルタ清掃装置８が配設されている。エアフィルタ清掃装置８は、主にエアフィルタ送り機構、塵埃除去用ブラシおよびダストボックスを具備している。フィルタ送り機構は、エアフィルタ清掃運転時に駆動して、エアフィルタの下端部を背面側（図１では右側）のガイド路にＵターンさせ、上方へ移動させる。
【００２２】
塵埃除去用ブラシはエアフィルタの移動に連動して回動し、塵埃を、回転軸外面に螺旋状に巻装されたブラシにより掻き取り、ダストボックスに落下させ収納させる。
【００２３】
室内機本体４は、その内部空間に、上部，前面吸込口５ａ，５ｂと吹出口６を連通させる通風路９を形成している。通風路９は、その上流側にほぼ逆Ｖ字状の熱交換器１０を配設し、その下流側に室内送風機を構成する横流ファン１１を配設していると共に、吹出口６側の吹出口側通風路９ｂを介して吹出口６に連通しており、通風路９は吸込口５側の吸込口側通風路９ａと吹出口側通風路９ｂを有する。
【００２４】
通風路９の熱交換器１０よりも上流側の吸込口側通風路９ａに連通する部分に、静電霧化ユニット１３が配設されている。静電霧化ユニット１３は、その静電ミスト放出口１３ａを吹出口側送風路９ｂの吹出口６近傍の上面に開口させている。
【００２５】
図４〜図６に示すように静電霧化ユニット１３は、水供給部１４、放電部１５および高電圧加圧手段である高電圧印加装置１６を具備している。
【００２６】
水供給部１４は、冷却装置の一例であるペルチェ素子１４ａの一面に、放熱性の良好な金属よりなるヒートシンク１４ｂを固定し、ペルチェ素子１４ａの他面に、熱伝導性の高い金属製の水生成板１４ｃと前面カバー１４ｄを取り付けている。
【００２７】
ヒートシンク１４ｂは、放熱性の良好な金属製矩形平板よりなるベースの外面に、複数のフィン…を所要のピッチで並設している。
【００２８】
水生成板１４ｃは、吸込口側通風路９ａに連通する部分の空間に晒されており、ペルチェ素子１４ａにより冷却されたときに、その表面の空気を冷却することにより、水生成板１４の外表面に結露水ｗを生成する。なお、水生成板１４ｃが配置される連通部分の空間は、吸込口側通風路９ａの吸込空気の流れに沿った部分ではなく、空気の流れの比較的少ない部分に配置されるのが望ましい。これは空気の流れのある部分に配置すると、生成された結露水が、流れる空気中に放出してしまい、水生成作用が低下するためである。
【００２９】
前面カバー１４ｄは、ペルチェ素子１４ａの前面を被覆して電気的に絶縁する一方、水生成板１４ｃの外面を吸込口側通風路９ａに露出させるための開口を有し、水生成板１４ｃで生成した結露水ｗを放電部１５に供給するように案内するガイド機能を具備している。前面カバー１４ｄは図５で示す弾性を有する針金状の止め具１４ｅによりヒートシンク１４ｂに装着される。
【００３０】
放電部１５は、水供給部１４から結露水ｗが供給される多孔質のフェルトピン等からなる放電ピン１５ａ、この放電ピン１５ａを収容する下部電極カバー１５ｂおよび下部電極カバー１５ｂの上半部を被覆する上部電極カバー１５ｃを具備している。下部電極カバー１５ｂの一端部には電気絶縁性を有する樹脂製のミスト放出管１７に接続される円筒状の接続端部１５ｂ１を一体に形成している。
【００３１】
放電ピン１５ａは、導電性を有する帯板状のリード板１５ｄを介して高電圧印加装置１６に電気的に接続されている。放電ピン１５ａは高電圧印加装置１６により高電圧が印加されたときに放電し、その放電を結露水ｗに作用させ、静電霧化現象を発生させることにより水Ｗ（結露水ｗ）を、粒子径がピコメートルからナノメートルサイズの負の帯電微粒子に分裂させ、静電ミストを生成する。
【００３２】
図４に示すようにミスト放出管１７は、静電霧化ユニット１３側の上流側が曲げ部分が多いので、この上流側を硬質樹脂製の上流部１７ａにより形成し、残りの静電ミスト放出口１３ａ側の下流側を、室内機本体４への組付け時の自由度を確保するために、軟質樹脂製のホース等からなる下流部１７ｂに形成している。
【００３３】
図７に示すようにミスト放出口１３ａは図中横長の吹出口６の一端部の近傍に配設される。また、図８に示すようにこの静電霧化ユニット１３はフィルタユニット取付枠１８の背面に取り付けられ、ミスト放出口１３ａはフィルタユニット取付枠１８の下面に取付けられている。
【００３４】
次に、この空気調和機１の作用について説明する。
【００３５】
空気調和機が運転されると、室内送風機を構成する横流ファン１１が回転駆動される。このために、室内空気が吸込口５から室内機本体４内に吸い込まれ、エアフィルタ７により塵埃等異物が捕捉されて除去され、さらに、吸込口側通風路９ａを通風して熱交換器１０で熱交換される。ここで、熱交換された冷風または温風等の調温空気は、吹出口側通風路９ｂを経て吹出口６から再び室内へ吹き出される。これの繰返しにより室温が調温される。
【００３６】
そして、静電霧化ユニット１３では、ペルチェ素子１４ａが通電されるので、このペルチェ素子１４ａにより水生成板１４ｃが冷却される。このために、吸込口側通風路９ａ内の吸込空気の一部が、水生成板１４ｃの外面に接触して冷却され、結露水ｗが水生成板１４の外面に生成して付着する。さらに、この結露水ｗは前面カバー１４ｄの水ガイド部に案内されて重力により放電ピン１５ａの外面上に滴下し、放電ピン１５ａに供給される。
【００３７】
このとき、放電ピン１５ａは、高電圧印加装置１６により高電圧が印加されて放電するので、この放電ピン１５ａの外面に付着している結露水ｗに放電が作用し、静電霧化現象により、粒子径がピコメートルからナノメートルサイズの負の帯電微粒子に分裂され、静電ミストが生成される。
【００３８】
一方、吹出口側通風路９ｂでは、横流ファン１１の送風により、ミスト放出口１３ａの近傍が、そのミスト放出管１７内の圧力に対して負圧になる。このために、放電部１５で生成したこの静電ミストは、ミスト放出管１７を介して吹出口６側へ吸引され、吹出口６近傍の上面のミスト放出口１３ａから吹出口６内へ放出される。
【００３９】
このために、静電ミストは吹出口６から室内に吹き出される調温空気と共に、その調温空気の流れに乗って室内へ放出される。静電ミストは強力な酸化力を有するＯＨラジカルを生成するので、このＯＨラジカルの強力な酸化力により、空気中の有機物から水素原子を奪い、有機物の結合を分解して浄化する。ＯＨラジカルは反応性が高く、最終的には二酸化炭素や水になる。
【００４０】
したがって、この室内機１によれば、横流ファン１１の送風の風速が高速でかつ安定する吹出口側通風路９ｂの上面であって、吹出口６の近傍に、ミスト放出口１３ａを設けたので、このミスト放出口１３ａに対する吹出口６側への負圧を増大させ、かつ安定させることができる。
【００４１】
このために、ミスト放出口１３ａから吹出口６内へ静電ミストを吸引する吸引力が向上し、かつ安定するので、吹出口６から室内（空調空間）へ放出される静電ミストの放出量を増大させ、かつ安定させることができる。
【００４２】
ところで、暖房運転時においては、熱交換器１０で熱交換された高温の空気は相対湿度が低いので、水生成板１４ｃに結露水ｗの生成付着量が低下する虞があり、その場合は静電ミストの生成量が減少する。
【００４３】
しかし、本実施形態によれば、静電霧化ユニット１３を、熱交換器１０よりも上流側の吸込口側通風路９ａに連通する空気の流れの比較的少ない部分に設けたので、熱交換器１０により加温空気に加熱される前の吸込空気により結露水ｗを発生させることができる。このために、暖房運転時においても、静電ミストを確実に生成することができる。
【００４４】
このために、静電ミストが吹出空気と共に室内に吹き出されるので、室内空気に含まれる臭気成分や、カーテンや室内の壁や家具に付着した臭気成分等の有機物をＯＨラジカルの強力な酸化力により分解し、脱臭等の浄化効果を奏することができる。
【００４５】
しかも、本実施形態は、静電霧化ユニット１３を単に吸込口側通風路９に連通する空気の流れの比較的少ない部分に配置するだけであるので、熱交換器１０をバイパスするバイパス管に静電霧化ユニットを設ける従来例に比して、構成の簡単化とコスト低減を図ることができる。
【００４６】
そして、本実施形態によれば、ミスト放出管１７は、その曲げの多い上流側の上流部１７ａを硬質樹脂により形成する一方、下流側の下流部１７ｂを、組付け時の自由度を持たせるために、軟質樹脂製のホースにより形成したので、室内機本体４内の狭隘な内部空間に、ミスト放出管１７を組み付ける際の組付け性と収納性の向上を共に図ることができる。また、これら上，下流部１７ａ，１７ｂを電気絶縁性を有する樹脂により形成したので、放電部１５を有する静電霧化ユニット１３に対する電気絶縁性を向上できる。
【００４７】
また、静電ミストは荷電粒子であるので、金属製の熱交換器１０等の金属製部品に吸着され減少され易いが、本実施形態によれば、樹脂製の放出管１７により吹出口６近傍まで案内し、熱交換器１０等金属製部品を迂回させているので、静電ミストの減少を抑制できる。
【００４８】
さらに、静電ミストは空気に接触することにより、ＯＨラジカルを生成し、このＯＨラジカルは反応性が高いために消滅し易いが、静電ミストは吹出口６の近傍で放出されるので、ＯＨラジカルの消滅を抑制できる。
【００４９】
なお、上記実施形態では、ミスト放出管１７の上流部１７ａを硬質樹脂により形成し、下流部１７ｂを軟質樹脂製のホースにより形成する場合について説明したが、本発明はこれに限定されるものではなく、例えば、放出管１７の一部または全部を導電性樹脂または帯電防止樹脂により形成してもよい。但し、導電性樹脂により放出管１７の一部または全部を形成した場合には、アースすることが必要である。
【００５０】
これによれば、静電霧化ユニット１３の放電部１５によるミスト放出管１７の帯電の防止を図ることができるうえに、導電性樹脂製のミスト放出管１７をアースする場合には、電位差を持たさせることができるので、荷電粒子である静電ミストがミスト放出管１７内を流れる際に放出管１７の内面に電気的に吸着されて放出量が減少することを防止することが可能である。
【００５１】
さらに、ミスト放出管１７が導電性樹脂により形成されていない場合においても、その内面の上面から両側面にかけて、その上側内面の曲面に適合した例えばＣ字状のアース部材を設けてアースしてもよい。これによれば、荷電粒子である静電ミストがミスト放出管１７内を流れることにより、ミスト放出管１７が帯電する場合があるが、その電荷はアースされるので、ミスト放出管１７の帯電の防止を図ることができる。しかも、ミスト放出管１７の内面の下側ではなく、Ｃ字状のアース部材により、上側のみを局所的にアースするので、万一、静電ミストが例えば冷房時等で大量に発生し、ミスト放出管１７内に滞留した場合でも、ミスト放出管１７の内面上側には静電ミストが滞留しない可能性が大きいので、この滞留した静電ミストを介して静電霧化ユニット１３とアースがショートすることを防止できる。
【００５２】
また、上記実施形態では、水供給部１４の冷却装置としてペルチェ素子１４ａを設けた場合について説明したが、ペルチェ素子１４ａに限定されるものではなく、水生成板１４ｃまたは放電ピン１５ａを冷却する手段であればよい。さらに、水供給部１４は水タンクから放電部１５に水を供給するように構成してもよい。この場合も、水タンクを吸込口側通風路９ａに配設するので、熱交換器１０に邪魔されずに水タンクを着脱することができる。
【００５３】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５４】
１…室内機、４…室内機本体、５…吸込口、６…吹出口、９…通風路、９ａ…吸込口側通風路、１０…熱交換器、１１…横流ファン、９ｂ…吹出口側通風路、１３…静電霧化ユニット、１３ａ…ミスト放出口、１４…水供給部、１４ａ…ペルチェ素子、１４ｃ…水生成板、１５…放電部、１５ａ…放電ピン、１６…高電圧印加装置（高電圧印加手段）、１７…ミスト放出管、ｗ…結露水。
【図１】
2012042072.tif 000003
【図２】
2012042072.tif 000004
【図３】
2012042072.tif 000005
【図４】
2012042072.tif 000006
【図５】
2012042072.tif 000007
【図６】
2012042072.tif 000008
【図７】
2012042072.tif 000009
【図８】
2012042072.tif 000010